(57)【特許請求の範囲】
【請求項１】
液体が充填されている容器の口部と、
天面部と、前記天面部の周縁から垂下するとともに、内周面に前記口部の外周面との螺合部が形成された筒部と、前記天面部の内面に形成された、前記口部の外周面と接触する樹脂製のアウターシールと、同じく前記天面部の内面に形成された、前記口部の内周面と接触する樹脂製のインナーシールと、を備えたキャップとの密封性の検査方法であって、
容器の口部に螺着されているキャップの天面部に、該キャップのインナーシールとアウターシールと前記口部の周縁部とで区画された第一空間に連通する第一孔部を形成する第一穿設ステップと、
前記第一孔部を介して、前記第一空間に染料を注入する第一注入ステップと、
前記第一注入ステップで染料が注入された前記容器のキャップに対して内圧を付与する第一与圧ステップと、
前記第一与圧ステップ後に前記容器内への染料の漏洩の有無を確認する第一確認ステップと、
前記第一確認ステップの確認結果に基づいて前記密封性を評価する評価ステップを備えていることを特徴とする検査方法。
【請求項２】
前記容器とは別の容器の口部に螺着されているキャップの筒部に、少なくとも該キャップのアウターシールと前記筒部の内周面と前記口部の外周部とで区画された第二空間に連通する第二孔部を形成する第二穿設ステップと、
前記第二孔部を介して、前記第二空間に染料を注入する第二注入ステップと、
前記第二注入ステップで染料が注入された前記別の容器のキャップに対して内圧を付与する第二与圧ステップと、
前記第二与圧ステップ後に前記別の容器内への染料の漏洩の有無を確認する第二確認ステップと、
前記評価ステップは、前記第一確認ステップと、前記第二確認ステップの確認結果に基づいて前記密封性を評価することを特徴とする請求項１に記載の検査方法。
【請求項３】
前記第一与圧ステップは、少なくとも前記容器を逆さまにした状態で放置する第一放置ステップ、または、前記容器に対して所定の外力を印加する第一印加ステップを備えていることを特徴とする請求項１に記載の検査方法。
【請求項４】
前記第一与圧ステップは、少なくとも前記容器を逆さまにした状態で放置する第一放置ステップ、または、前記容器に対して所定の外力を印加する第一印加ステップを備え、
前記第二与圧ステップは、少なくとも前記別の容器を逆さまにした状態で放置する第二放置ステップ、または、前記別の容器に対して所定の外力を印加する第二印加ステップを備えていることを特徴とする請求項２に記載の検査方法。
【請求項５】
前記液体は、ホットパック充填により容器に充填されていることを特徴とする請求項１から４のいずれか一項に記載の検査方法。
【請求項６】
請求項１または３に記載の検査方法が備える第一穿設ステップ及び第一注入ステップを実行するための補助装置であって、
液体が充填されている容器の保持部と、
前記保持部に保持された容器の口部に螺着された、天面部と、前記天面部の周縁から垂下するとともに、内周面に前記口部の外周面との螺合部が形成された筒部と、
前記天面部の内面に形成された、前記口部の外周面と接触する樹脂製のアウターシールと、
同じく前記天面部の内面に形成された、前記口部の内周面と接触する樹脂製のインナーシールと、を備えたキャップに所定深さの孔部を形成する穿設部と、
前記穿設部に並設され、前記孔部へ所定量の染料を注入する注入部と、
少なくとも前記保持部、または、前記穿設部及び前記注入部を、
前記穿設部及び前記注入部の並設方向に沿った第一方向に、少なくとも前記穿設部及び前記注入部との間で、相対的に移動可能に支持する第一支持部と、
前記第一方向と水平面内で直交する第二方向に、少なくとも前記穿設部が前記孔部を穿設する穿設位置及び前記注入部が前記孔部へ染料を注入する注入位置と、前記穿設部及び前記注入部が前記キャップと離間する離間位置の間で、相対的に移動可能に支持する第二支持部と、を備え、
前記保持部は容器を、前記キャップの天面部が前記穿設部または前記注入部に対向するように、水平姿勢で保持する第一保持部を備え、
前記穿設部は、前記第一保持部に保持された容器の口部に螺着されているキャップの天面部に、該キャップのインナーシールとアウターシールと前記口部の周縁部とで区画された第一空間に連通する第一孔部を形成可能に配設されていることを特徴とする補助装置。
【請求項７】
請求項２または４に記載の検査方法が備える第一及び第二穿設ステップ並びに第一及び第二注入ステップを実行するための補助装置であって、
液体が充填されている容器の保持部と、
前記保持部に保持された容器の口部に螺着された、天面部と、前記天面部の周縁から垂下するとともに、内周面に前記口部の外周面との螺合部が形成された筒部と、
前記天面部の内面に形成された、前記口部の外周面と接触する樹脂製のアウターシールと、
同じく前記天面部の内面に形成された、前記口部の内周面と接触する樹脂製のインナーシールと、を備えたキャップに所定深さの孔部を形成する穿設部と、
前記穿設部に並設され、前記孔部へ所定量の染料を注入する注入部と、
少なくとも前記保持部、または、前記穿設部及び前記注入部を、
前記穿設部及び前記注入部の並設方向に沿った第一方向に、少なくとも前記穿設部及び前記注入部との間で、相対的に移動可能に支持する第一支持部と、
前記第一方向と水平面内で直交する第二方向に、少なくとも前記穿設部が前記孔部を穿設する穿設位置及び前記注入部が前記孔部へ染料を注入する注入位置と、前記穿設部及び前記注入部が前記キャップと離間する離間位置の間で、相対的に移動可能に支持する第二支持部と、を備え、
前記保持部は容器を、前記キャップの天面部が前記穿設部または前記注入部に対向するように、水平姿勢で保持する第一保持部と、
前記第一保持部に保持された容器とは別の容器を、前記キャップの筒部が前記穿設部または前記注入部に対向するように、垂直姿勢で保持する第二保持部を備え、
前記穿設部は、
前記第一保持部に保持された容器の口部に螺着されているキャップの天面部に、該キャップのインナーシールとアウターシールと前記口部の周縁部とで区画された第一空間に連通する第一孔部を形成可能、かつ、
前記第二保持部に保持された容器の口部に螺着されているキャップの筒部に、少なくとも該キャップのアウターシールと前記筒部の内周面と前記口部の外周部とで区画された第二空間に連通する第二孔部を形成可能に配設されていることを特徴とする補助装置。
【請求項８】
前記保持部は、前記第一保持部及び第二保持部を、前記第一方向に沿って、前記穿設部と前記注入部との並設距離と等しい距離で並設固定する固定部を備えていることを特徴とする請求項７に記載の補助装置。
【請求項９】
前記第一支持部は、前記穿設部と対向する位置で、または、前記注入部と対向する位置で、前記保持部が前記第一方向への相対的に移動することを規制する規制部を備えていることを特徴とする請求項６から８のいずれか一項に記載の補助装置。
【発明の詳細な説明】
【技術分野】
【０００１】
本発明は、ペットボトル等の容器の口部と前記口部に螺着自在なキャップに備えられたシールの密封性の検査方法及び前記検査方法の一部のステップを実行するための補助装置に関する。
【背景技術】
【０００２】
ペットボトル等の容器の口部に螺着されるキャップとして、天面部と、天面部の周縁から垂下する筒部と、天面部の内面に形成された、前記口部の外周面と接触するシール（以下、アウターシールという。）と、同じく天面部の内面に、前記アウターシールよりも天面部からの垂直距離が長く形成された、前記口部の内周面と接触するシール（以下、インナーシールという。）とが樹脂により一体形成され、前記アウターシール及び前記インナーシールで前記口部を挟持することによって、前記口部を密封するものが広く使用されている。
【０００３】
内容物の品質保持等の観点から、キャップのアウターシールやインナーシールには、特にインナーシールには、少なくともキャップが未開封の状態において確実な密封性が要求されている。
【０００４】
キャップのアウターシールやインナーシールの密封性の検査方法として、容器に内容物となる液体を充填してキャップで密封した後、容器をキャップの側が下方となるような状態で放置して、容器内の液体の外部への漏洩の有無を調べる方法が知られている。なお、該検査方法は、特許文献１にも記載される従来技術であるため、特許文献等の先行技術文献は示さない。
【０００５】
特許文献１には、キャップのシール部付近を非導電性の材料で形成し、シール部をはさんだキャップの中心部と周辺部とをそれぞれ導電性の材料で形成して、内容物の漏洩を、導電性の材料で形成した中心部と周辺部との電流の流れの基づいて検知する技術が提案されている。
【０００６】
また、特許文献２には、ボトル口部を密封するインナーリング部が一体形成されたキャップ部を被嵌した状態のボトルをそのネック部で切断し、その切断による開放端から前記キャップ部が被嵌された口部内に検査用超音波センサを挿入して、前記インナーリング部による密封部検査位置に指向させて、所定条件でスキャンして、該密封部のエコー画像を得ることにより密封性を検査する技術が提案されている。
【先行技術文献】
【特許文献】
【０００７】
【特許文献１】特許第４３０１５３３号明細書
【特許文献２】特許第３８６８８９４号明細書
【発明の概要】
【発明が解決しようとする課題】
【０００８】
しかし、上述した従来の検査方法では、インナーシールに密封性がなくてもアウターシールに密封性があれば液体の漏洩が発生しないため、確実な密封性が要求されるインナーシールの密封性の評価を適切にすることができないという問題があった。
【０００９】
特許文献１の技術では、全てのキャップを部位によって、導電性、非導電性にする必要があるため無駄なコストがかかるという問題があった。
特に、例えばペットボトル入り飲料の新商品の開発や既存の商品の改良等にあたり、新規にキャップや口部を設計し、該キャップの密封性を評価して前記新規設計のキャップや口部が採用された場合に、その後商品として流通するペットボトル入り飲料について個別に密封性の評価を行わないにもかかわらず、前記採用されたものと同一のコストの高いキャップを製造する必要がある。
【００１０】
特許文献２の技術では、ネック部を切断して検査するので、ペットボトルが未開封であるときに、その内圧がキャップ部内面やネック部内面、特にインナーリング部に及ぼす影響が除外されてしまう。
例えばペットボトル入り飲料が、ホットパック充填されたものである場合には、ペットボトル内の飲料の温度変化に起因する内圧の変化の影響や、ペットボトル入り飲料を自動販売機で販売する際のストッカーから商品取出し口に落下したときの衝撃の影響が判断できなかった。すなわち、実際に流通するペットボトル入り飲料のようにキャップが未開封であるときと、検査とで密封性の評価結果に乖離が生じる虞があった。
【課題を解決するための手段】
【００１１】
本発明は、上述したような問題点を解決するためのものであり、容器の密封性の信頼性の高い検査方法、及び、前記検査方法の一部のステップを熟練を要することなく実行することができる補助装置を提供することを目的としている。
【００１２】
上述の目的を達成するため、本発明による検査方法の第一の特徴構成は、液体が充填されている容器の口部と、天面部と、前記天面部の周縁から垂下するとともに、内周面に前記口部の外周面との螺合部が形成された筒部と、前記天面部の内面に形成された、前記口部の外周面と接触する樹脂製のアウターシールと、同じく前記天面部の内面に形成された、前記口部の内周面と接触する樹脂製のインナーシールと、を備えたキャップとの密封性の検査方法であって、容器の口部に螺着されているキャップの天面部に、該キャップのインナーシールとアウターシールと前記口部の周縁部とで区画された第一空間に連通する第一孔部を形成する第一穿設ステップと、前記第一孔部を介して、前記第一空間に染料を注入する第一注入ステップと、前記第一注入ステップで染料が注入された前記容器のキャップに対して内圧を付与する第一与圧ステップと、前記第一与圧ステップ後に前記容器内への染料の漏洩の有無を確認する第一確認ステップと、前記第一確認ステップの確認結果に基づいて前記密封性を評価する評価ステップを備えている点にある。
【００１３】
例えばインナーシールの密封性が悪く、第一空間に注入した染料がインナーシールを介して容器内に漏洩したとすると、容器内の液体の色が染料の影響により変化するため、漏洩の有無を目視確認することが容易となる。容器の内部に内容物としての液体を充填した状態での、キャップのインナーシールの密封性を確実に評価することができる。特に、商品として流通する容器には、商品の流通時や販売時の物理的な衝撃や、周囲環境、例えば温度や気圧の変化等に起因する様々な圧力が作用する。第一与圧ステップで、被検査対象の容器のキャップに対して、所定の内圧を印加した上で、キャップの密封性の評価を行うことで、検査結果の信頼性を向上させることができる。
なお、第一与圧ステップとしては、第一注入ステップで染料が注入された容器を逆さまにした状態で放置する第一放置ステップや、第一注入ステップで染料が注入された容器に対して所定の外力を印加する第一印加ステップが好適に例示できる。外力を印加するとは、前記容器を落としたり、握ったり、温めたりする等、前記容器の内圧が高まるようなことをするこという。
キャップの天面部に、インナーシールとアウターシールと容器の口部の周縁部とで区画された第一空間に連通する第一孔部が形成された容器は、一つに限らず複数であってもよい。
【００１４】
同第二の特徴構成は、前記容器とは別の容器の口部に螺着されているキャップの筒部に、少なくとも該キャップのアウターシールと前記筒部の内周面と前記口部の外周部とで区画された第二空間に連通する第二孔部を形成する第二穿設ステップと、前記第二孔部を介して、前記第二空間に染料を注入する第二注入ステップと、前記第二注入ステップで染料が注入された前記別の容器のキャップに対して内圧を付与する第二与圧ステップと、前記第二与圧ステップ後に前記別の容器内への染料の漏洩の有無を確認する第二確認ステップと、前記評価ステップは、前記第一確認ステップと、前記第二確認ステップの確認結果に基づいて前記密封性を評価する点にある。
【００１５】
第二空間に注入した染料が該別の容器内に漏洩したとすると、アウターシール及びインナーシールの密封性が悪いと評価することができる。第一確認ステップで、インナーシールの密封性が悪いと評価された場合であっても、第二空間に注入した染料が該別の容器内に漏洩しない場合には、アウターシールの密封性は良いことが評価できる。染料が第一空間に注入された容器と染料が第二空間に注入された容器に対して、染料の注入箇所以外は、同様のステップを行うので、結果の信頼性が向上する。
なお、第二与圧ステップとしては、前記別の容器を逆さまにした状態で放置する第二放置ステップや、前記別の容器に対して所定の外力を印加する第二印加ステップが好適に例示でき、第一与圧ステップと同様のステップであることが好ましい。
キャップの筒部に、少なくとも該キャップのアウターシールと前記筒部の内周面と前記口部の外周部とで区画された第二空間に連通する第二孔部が形成された容器は、一つに限らず複数であってもよく、前記第一孔部が形成された容器と同数であることが好ましい。
【００１６】
同第三の特徴構成は、前記第一与圧ステップは、少なくとも前記容器を逆さまにした状態で放置する第一放置ステップ、または、前記容器に対して所定の外力を印加する第一印加ステップを備えている点にある。
【００１７】
同第四の特徴構成は、前記第一与圧ステップは、少なくとも前記容器を逆さまにした状態で放置する第一放置ステップ、または、前記容器に対して所定の外力を印加する第一印加ステップを備え、前記第二与圧ステップは、少なくとも前記別の容器を逆さまにした状態で放置する第二放置ステップ、または、前記別の容器に対して所定の外力を印加する第二印加ステップを備えている点にある。
【００１８】
同第五の特徴構成は、前記液体は、ホットパック充填により容器に充填されている点にある。
【００１９】
液体の容器への充填には、加熱殺菌した液体を高温のまま容器に充填するホットパック充填と、液体を事前に高温殺菌、冷却してから、無菌状態のもとで常温で充填するアセプティック充填が広く用いられている。
ホットパック充填では、中味が熱い状態でキャップを閉め、充填後、直ちに冷水シャワーで冷却し、液体がその後常温に戻ると、容器内の気体部分の体積が小さくなり、容器内は負圧の状態となるため、インナーシールの密封性がより重要視される。
しかし、ホットパック充填すると、充填される液体の温度がキャップに伝わり、樹脂製のインナーシールやアウターシールが暖められ、その後常温に戻るときに、インナーシールは口部の内周面から離間する方向に収縮する虞がある。また、アウターシールは口部の外周面に密着する方向に収縮するが、アウターシールは、インナーシールより短く設計されているため、口部への密着が不安定になることが多い。
本発明による検査方法は、ホットパック充填により液体が充填される容器に対して好適に用いられ、容器のキャップの、特にインナーシールの信頼性の高い評価が可能となる。
【００２０】
本発明による補助装置の第一の特徴構成は、上述した第一または第三の特徴構成を備えた検査方法が備える第一穿設ステップ及び第一注入ステップを実行するための補助装置であって、液体が充填されている容器の保持部と、前記保持部に保持された容器の口部に螺着された、天面部と、前記天面部の周縁から垂下するとともに、内周面に前記口部の外周面との螺合部が形成された筒部と、前記天面部の内面に形成された、前記口部の外周面と接触する樹脂製のアウターシールと、同じく前記天面部の内面に形成された、前記口部の内周面と接触する樹脂製のインナーシールと、を備えたキャップに所定深さの孔部を形成する穿設部と、前記穿設部に並設され、前記孔部へ所定量の染料を注入する注入部と、少なくとも前記保持部、または、前記穿設部及び前記注入部を、前記穿設部及び前記注入部の並設方向に沿った第一方向に、少なくとも前記穿設部及び前記注入部との間で、相対的に移動可能に支持する第一支持部と、前記第一方向と水平面内で直交する第二方向に、少なくとも前記穿設部が前記孔部を穿設する穿設位置及び前記注入部が前記孔部へ染料を注入する注入位置と、前記穿設部及び前記注入部が前記キャップと離間する離間位置の間で、相対的に移動可能に支持する第二支持部と、を備え、前記保持部は容器を、前記キャップの天面部が前記穿設部または前記注入部に対向するように、水平姿勢で保持する第一保持部を備え、前記穿設部は、前記第一保持部に保持された容器の口部に螺着されているキャップの天面部に、該キャップのインナーシールとアウターシールと前記口部の周縁部とで区画された第一空間に連通する第一孔部を形成可能に配設されている点にある。
【００２１】
本発明による検査方法が備える第一穿孔ステップや第一注入ステップにおいて、キャップに形成する孔部の位置や深さや、染料の注入量にばらつきがあると、検査結果にばらつきが生じる虞がある。上述の補助装置によると、キャップの天面部の所定位置に所定深さの第一孔部の形成という熟練を要する作業を誰でも簡単に行うことができるようになる。被検査対象の容器に形成される孔部の位置や深さ等のばらつきが軽減できるので、検査結果の信頼性を向上することができる。
【００２２】
同第二の特徴構成は、上述した第二または第四の特徴構成を備えた検査方法が備える第一及び第二穿設ステップ並びに第一及び第二注入ステップを実行するための補助装置であって、液体が充填されている容器の保持部と、前記保持部に保持された容器の口部に螺着された、天面部と、前記天面部の周縁から垂下するとともに、内周面に前記口部の外周面との螺合部が形成された筒部と、前記天面部の内面に形成された、前記口部の外周面と接触する樹脂製のアウターシールと、同じく前記天面部の内面に形成された、前記口部の内周面と接触する樹脂製のインナーシールと、を備えたキャップに所定深さの孔部を形成する穿設部と、前記穿設部に並設され、前記孔部へ所定量の染料を注入する注入部と、少なくとも前記保持部、または、前記穿設部及び前記注入部を、前記穿設部及び前記注入部の並設方向に沿った第一方向に、少なくとも前記穿設部及び前記注入部との間で、相対的に移動可能に支持する第一支持部と、前記第一方向と水平面内で直交する第二方向に、少なくとも前記穿設部が前記孔部を穿設する穿設位置及び前記注入部が前記孔部へ染料を注入する注入位置と、前記穿設部及び前記注入部が前記キャップと離間する離間位置の間で、相対的に移動可能に支持する第二支持部と、を備え、前記保持部は容器を、前記キャップの天面部が前記穿設部または前記注入部に対向するように、水平姿勢で保持する第一保持部と、前記第一保持部に保持された容器とは別の容器を、前記キャップの筒部が前記穿設部または前記注入部に対向するように、垂直姿勢で保持する第二保持部を備え、前記穿設部は、前記第一保持部に保持された容器の口部に螺着されているキャップの天面部に、該キャップのインナーシールとアウターシールと前記口部の周縁部とで区画された第一空間に連通する第一孔部を形成可能、かつ、前記第二保持部に保持された容器の口部に螺着されているキャップの筒部に、少なくとも該キャップのアウターシールと前記筒部の内周面と前記口部の外周部とで区画された第二空間に連通する第二孔部を形成可能に配設されている点にある。
【００２３】
本発明による検査方法が備える第一穿孔ステップ及び第二穿孔ステップや第一注入ステップ及び第二注入ステップにおいて、キャップに形成する孔部の位置や深さや、染料の注入量にばらつきがあると、検査結果にばらつきが生じる虞がある。上述の補助装置によると、キャップの天面部の所定位置に所定深さの第一孔部の形成や、キャップの筒部の所定位置に所定深さの第二孔部の形成という熟練を要する作業を誰でも簡単に行うことができるようになる。被検査対象の容器に形成される孔部の位置や深さ等のばらつきが軽減できるので、検査結果の信頼性を向上することができる。
【００２４】
さらに補助装置は、前記保持部が、前記第一保持部及び第二保持部を、前記第一方向に沿って、前記穿設部と前記注入部との並設距離と等しい距離で並設固定する固定部を備えていることが好ましく、固定部により第一保持部及び第二保持部は一体的に移動させることができる。
【００２５】
さらに補助装置は、前記第一支持部が、前記穿設部と対向する位置で、または、前記注入部と対向する位置で、前記保持部が前記第一方向への相対的に移動することを規制する規制部を備えていることが好ましく、規制部により孔部の形成時や、染料の注入時に、容器を穿設部に対向する所定位置、または、注入部に対向する所定位置に固定することできるので、穿孔作業や注入作業が容易になる。
【図面の簡単な説明】
【００２６】
【図１】図１は本発明の補助装置の第一実施形態を示す説明図である。
【図２】図２は本発明の補助装置の第二実施形態を示す説明図である。
【図３】図３は第一穿設ステップを示す説明図である。
【図４】図４は第一実施形態の補助装置の側面図である。
【図５】図５は第一穿設ステップを示す説明図である。
【図６】図６は第一注入ステップを示す説明図である。
【図７】図７は印加ステップ及び放置ステップを示す説明図である。
【図８】図８は第二穿設ステップを示す説明図である。
【図９】図９は第二注入ステップを示す説明図である。
【図１０】図１０は第二注入ステップを示す説明図である。
【発明を実施するための形態】
【００２７】
以下に、本発明による容器の密封性の検査方法及び補助装置の実施形態について説明する。
【００２８】
図１には、本発明の第一の実施形態による補助装置１０が示されている。
補助装置１０は、基板１１の上に、キャップ１１０が螺着されていた容器１００を水平姿勢で保持する保持部２０と、保持部２０に保持された容器１００のキャップ１１０に向けて穿設部の一例としてのドリルビット４１を有する電動のドリル４０や注入部の一例としての注射針５１を有する注射器５０等を備えている。容器１００としてはペットボトルが好ましく例示できる。なお、容器１００とは容器１００の本体のみをいうこともあるし、その口部１０１にキャップ１１０が螺着された容器１００の全体をいうこともある。
また、容器１００が、ホットパック充填により内容物である液体が充填されているものを例に説明する。
【００２９】
キャップ１１０は、図５に示すように、天面部１１１と、天面部１１１の周縁から垂下するとともに、内周面に口部１０１の外周面との螺合部１１３が形成された筒部１１２と、天面部１１１の内面に形成された、口部１０１の外周面と接触するアウターシール１１４と、同じく天面部１１１の内面に形成された、口部１０１の内周面と接触するインナーシール１１５とを備えている。本実施形態では、キャップ１１０は、全体が樹脂により一体成形されたピルファープルーフキャップである。なお、図５では図示の簡略化のためにタッパーエビデンスバンドの記載を省略している。
【００３０】
補助装置１０の各部の構成について詳述する。
保持部２０は、平板状の基部２１の前方（図１中Ｙ方向（第二方向）に沿って注射器５０を向く方向）上面に、容器１００のキャップ１１０を、その天面部１１１が前記前方を向くように嵌挿可能なキャップ固定部２２と、基部２１の後方上面に、容器１００の底面を前記前方に向けて押圧可能な押圧部２５が備えられた押圧台２４と、基板２１の前方裏面に、補助装置１０の基板１１に配設された支持部６０の基部６１，６１間に、Ｘ方向（第一方向）に沿って配設された一対のレール６２，６２に沿って移動するための一対のレールガイド２８，２８等とを備えている。
つまり、保持部２０が、容器１００を、キャップ１１０の天面部１１１が、ドリルビット４１または注射針５１に対向するように、水平姿勢で保持する第一保持部を構成し、支持部６０が、保持部２０を、ドリル４０及び注射器５０の並設方向に沿ったＸ方向に、少なくともドリル４０及び注射器５０との間で、相対的に移動可能に支持する第一支持部を構成する。
【００３１】
キャップ固定部２２は、後方からキャップ１１０を嵌挿可能なキャップ固定孔２３と、キャップ固定孔２３に対して嵌挿されたキャップ１１０の所定位置に対応する位置にガイド孔２２ｈ（図５参照）を備えている。ガイド孔２２ｈによって、ドリルビット４１及び注射針５１はキャップ１１０の所定位置に確実に案内される。
なお、キャップ１１０の所定位置とは、例えば図５に示されるように、キャップ１１０の天面部１１１のうち、キャップ１１０のインナーシール１１５とアウターシール１１４と口部１０１の周縁部とで区画された第一空間Ｓ１に連通することができる位置をいう。
【００３２】
基部２１の後方中央には、Ｙ方向に沿って基板２１の表裏を貫通した長孔が形成されており、押圧台２４は、基部２１の下面に配設された移動レバー２７と、長孔に挿通された寸切りボルトを介して連結されている。移動レバー２７を回動させて寸切りボルトを緩めると押圧台２４は基部２１に対してＹ方向に沿って移動可能となり、移動レバー２７を回動させて寸切りボルトを締めると押圧台２４は基部２１に固定される。このようにして保持される容器１００のサイズに応じて、押圧台２４とキャップ固定部２２間の距離が可変となっている。
【００３３】
押圧台２４には、押圧レバー２６の操作に応じて、Ｙ方向に沿って前後移動可能な押圧部２５が備えられている。キャップ固定部２２にキャップ１１０を嵌挿した容器１００に対して、押圧台２４を適当な位置まで前進させて固定した後、押圧レバー２６を操作して押圧部２５により容器１００の底部を前方へ押圧することで、容器１００はキャップ固定部２２と押圧台２４間で確実に保持される。
【００３４】
一対のレール６２，６２の間には、位置決め部材６３が配設されている。位置決め部材６３の天面には所定間隔Ｔをあけて２箇所にＶ字状の係合切欠６４，６４が形成されている。
基部２１の、位置決め部材６３と対応する位置には、Ｘ方向に係合ピン６５を配設するための延設部が備えられ、該延設部に係合切欠６４，６４に係合可能な下端部６６を有する係合ピン６５が立設されている。係合ピン６５の下端部６６が係合切欠６４に係合することで、基部２１のＸ方向に沿った移動が規制され、係合ピン６５の下端部６６を係合切欠６４から離間させて係合を解除することで、基部２１のＸ方向に沿った移動が許容される。
つまり、位置決め部材６４の係合切欠６４，６４と、それに係合する保持部２０に備えられた係合ピン６５とが、ドリルピット４１と対向する位置で、または、注射針５１と対向する位置で、保持部２０がＸ方向への相対的に移動することを規制する規制部を構成する。
【００３５】
さらに、基板１１には、ドリル４０及び注射器５０を支持するための支持部７０，７０が配設されている。各支持部７０は、基板１１に固定される基礎部７１と、ドリル４０や注射器５０を保持する保持部７２と、保持部７２を基礎部７１に対して、Ｙ方向に沿った前後方向への摺動を許容する摺動部７３を備えている。
【００３６】
ドリル４０及び注射器５０は、支持部７０，７０よりドリルビット４１と注射針５１が同一の高さであり、その中心間距離が所定距離Ｔとなるように基板１１上に並設される。さらに、ドリル４０及び注射器５０は、保持部７２の基礎部７１に対する摺動に伴って、夫々の先端がキャップ１１０に対して所定深さまで侵入し得る位置まで前進可能に支持される。なお、所定深さとは、例えば図５に示されるように、キャップ１１０の天面部１１１のうち、キャップ１１０のインナーシール１１５とアウターシール１１４と口部１０１の周縁部とで区画された第一空間Ｓ１と連通することができる深さをいう。
【００３７】
つまり、支持部７０が、ドリル４０及び注射器５０を、Ｘ方向と水平面内で直交するＹ方向に、少なくともドリルビット４１がキャップ１１０に孔部１１６を穿設する穿設位置及び注射針５１が孔部１１６へ染料を注入する注入位置と、ドリルビット４１及び注射針５１がキャップ１１０と離間する離間位置の間で、相対的に移動可能に支持する第二支持部を構成する。
【００３８】
ドリル４０は、電動式または手動式であってよく、ドリルビット４１は、キャップ１１０に１．０ｍｍ程度の孔部を形成できるものであればよい。注射器５０は、染料５２の容量が数ｃｃから数十ｃｃ程度のシリンジを備えたものであればよい。
【００３９】
基板１１には、ドリル４０及び注射器５０の下方に、ドリルビット４１によるキャップ１１０の削り屑や、注射針５１から垂れた染料５２を受ける受け皿１２が載せ置かれている。
【００４０】
補助装置１０が備える基部２１、キャップ固定部２２、押圧台２４、レールガイド２８，２８、支持部６０、基部６１，６１、レール６２，６２、位置決め部材６３、支持部７０，７０、受け皿１２等の各部は、アルミニウムやステンレス鋼等の金属を適宜切削加工等して得られ、各部はネジ等によって適宜締結される。
【００４１】
次に、本発明による容器の密封性の検査方法について説明する。
該検査方法は、液体充填後に約１５℃の環境に最低１６時間おかれている容器１００の口部１０１に螺着されているキャップ１１０の天面部１１１に、該キャップ１１０のインナーシール１１５とアウターシール１１４と口部１０１の周縁部とで区画された第一空間Ｓ１に連通する直径１．０ｍｍ程度の第一孔部１１６を形成する第一穿設ステップと、第一孔部１１６を介して、第一空間Ｓ１に染料５２を注入する第一注入ステップと、前記第一注入ステップで染料５２が注入された容器１００のキャップ１１０に対して内圧を付与する第一与圧ステップの一例として容器１００を放置する第一放置ステップと、前記第一放置ステップ後に容器１００内への染料５２の漏洩の有無を確認する第一確認ステップと、前記第一確認ステップの確認結果に基づいて前記密封性を評価する評価ステップを備えている。
【００４２】
上述した補助装置１０によると、本発明による検査方法のうち前記第一穿設ステップ及び前記第一注入ステップを熟練を要することなく実行することができる。
【００４３】
すなわち、容器１００を保持部２０に保持させた後、保持部２０に保持された容器１００をドリル４０に対向させ、ドリル４０を図１に示すＹ方向に沿って容器１００へと前進させて、ドリルビット４１で容器１００のキャップ１１０の天面部１１１（図５参照）の所定位置に所定深さの孔部１１６（図５参照）を形成することで前記第一穿設ステップが実行され、ドリル４０を図１に示すＹ方向に沿って容器１００から後退させた後、次に容器１００を図１に示すＸ方向に沿って注射器５０に対向する位置まで移動させ、注射器５０をＹ方向に沿って容器１００へと前進させて、ドリルビット４１が形成した孔部１１６に注射針５１によって所定量の染料５２を注入することで前記第一注入ステップが実行される。
【００４４】
前記第一放置ステップは、前記第一印加ステップを経ていない容器１００、または、前記第一印加ステップを経た容器１００を、キャップ１１０が底面となるように逆さまにした状態で、所定条件で、例えば約５℃の環境で３日間放置するステップである。
なお、第一放置ステップでの放置時間は、前記３日間に限らず、第一放置ステップを開始してから漏洩を確認するのに足る適当な時間として例えば予め設定された数秒から数十時間のような時間であってもよいし、前記時間のように予め設定されたものではなく第一放置ステップを開始してから漏洩が確認されるまでの時間であってもよい。
【００４５】
前記第一確認ステップは、前記第一放置ステップを経た容器１００内に、染料５２の漏洩が認められるか否かを確認するステップである。つまり、容器１００内の液体が染料５２の色を帯びていれば、漏洩が認められ、そうでなければ漏洩が認められないことが確認される。
【００４６】
評価ステップは、前記第一確認ステップの結果に基づいて、容器１００の密封性の評価をするステップである。前記第一確認ステップで、染料５２の漏洩が認められない場合は、少なくともインナーシール１１５の密封性があることがわかり、染料５２の漏洩が認められる場合は、少なくともインナーシール１１５の密封性がないことがわかる。
【００４７】
なお、前記第一与圧ステップは、前記第一放置ステップに替えて、または、前記第一注入ステップと、前記第一放置ステップの間に、容器１００に対して、所定の外力を印加する第一印加ステップを備えていてもよい。
【００４８】
前記第一印加ステップは、図７に示すように、第一注入ステップが終了した容器１００をキャップ１００を下方に向けた状態で、所定高さから落下させ、天面部に例えば１０度の傾斜面を有する金属製のインゴット１４の前記天面部に衝突させるステップである。なお、所定高さとは、容器１００の大きさによって予め好ましい高さが設定され、例えば容器１００が６００ｍＬ以下の容量のペットボトルであれば、１．０ｍ程度が好ましく、容器１００が６００ｍＬより大きい、例えば１．０Ｌや２．０Ｌの大容量のペットボトルであれば、０．５ｍ程度が好ましく採用される。該第一印加ステップは、ペットボトル入り飲料を自動販売機で販売するような場面で、商品のストッカーから商品取出し口に落下したときの衝撃を想定して、検査結果の信頼性を向上させるために行われる。
【００４９】
以上のように、容器１００の内部に商品となる液体を充填した状態で、新規設計のペットボトル等の容器１００の口部１０１と、口部１０１に螺着自在なキャップ１１０に備えられたインナーシール１１５との密封性を確実に評価することができる。なお、容器１００は、一つに限らず複数であってもよい。複数の新規設計のパターンがある場合には、前記パターン毎に一つないし複数が準備されてもよい。
【００５０】
次に、本発明の別実施形態について説明する。
図２には、本発明の第二の実施形態による補助装置１０が示されている。
上述の第一の実施形態による補助装置１０と同一の構成については同一の符号を付して説明を省略する。
この第二の実施形態による補助装置１０は、図１に示す第一の実施形態による補助装置１０の保持部２０の横に、さらに、容器１００を、キャップ１１０の筒部１１２がドリルビット４１または注射針５１に対向するように、垂直姿勢で保持する保持部３０を備えている。なお、保持部２０と保持部３０は、断面Ｌ字状のステー１３により一体的に固定されている。つまり、ステー１３が、保持部２０及び保持部３０を、Ｘ方向に沿って、所定距離Ｔで並設固定する固定部を構成する。
【００５１】
保持部３０は、平板状の基部３１の前方上面に、容器１００のキャップ１１０の天面部１１１が下方を向くように嵌挿可能なキャップ固定部３２と、基部３１の中央上面に立設された立上部３９と、立上部３９の上方に容器１００の底面を前記下方に向けて押圧可能な押圧部３５が備えられた押圧台３４と、基板３１の裏面に、一対のレール６２，６２に沿って移動するための一対のレールガイド３８，３８等とを備えている。
つまり、保持部３０が、容器１００を、キャップ１１０の天面部１１１が、ドリルビット４１または注射針５１に対向するように、垂直姿勢で保持するに第二保持部を構成する。
【００５２】
キャップ固定部３２は、上方からキャップ１１０を嵌挿可能なキャップ固定孔３３と、キャップ固定孔３３に対して嵌挿されたキャップ１１０の所定位置に対応する位置にガイド孔３２ｈ（図８参照）を備えている。ガイド孔３２ｈによって、ドリルビット４１及び注射針５１はキャップ１１０の所定位置に確実に案内される。
なお、キャップ１１０の所定位置とは、例えば図８に示されるように、キャップ１１０の筒部１１２のうち、少なくとも該キャップ１１０のアウターシール１１４と筒部１１２の内周面と口部１０１の外周部とで区画された第二空間Ｓ２に連通することができる位置をいう。
【００５３】
立上部３９の上方中央には、垂直方向に沿って立上部３９の表裏を貫通した長孔が形成されており、押圧台３４は、立上部３９の裏面に配設された移動レバー３７と、長孔に挿通された寸切りボルトを介して連結されている。移動レバー３７を回動させて寸切りボルトを緩めると押圧台３４は立上部３９に対して上下方向に沿って移動可能となり、移動レバー３７を回動させて寸切りボルトを締めると押圧台３４は立上部３９に固定される。保持される容器１００のサイズに応じて、押圧台３４とキャップ固定部３２間の距離が可変となっている。
【００５４】
押圧台３２には、押圧レバー３６の操作に応じて、上下方向に沿って移動可能な押圧部３５が備えられている。キャップ固定部３２にキャップ１１０を嵌挿した容器１００に対して、押圧台３４を適当な位置まで下降させて固定した後、押圧レバー３６を操作して押圧部３５により容器１００の底部をキャップ１１０方向へ押圧することで、容器１００はキャップ固定部３２と押圧台３４間で確実に保持される。
【００５５】
本実施形態では、一対のレール６２，６２の間に配設された位置決め部材６３の天面には、所定間隔Ｔをあけて３箇所にＶ字状の係合切欠６４，６４，６４が形成されている。
基部３１の、位置決め部材６３と対応する位置に、係合切欠６４，６４，６４に係合可能な下端部６６を有する係合ピン６５が立設されている。この場合、基部２１には係合ピン６５を備える必要はない。
係合ピン６５が左の係合切欠６４に係合する位置では、保持部２０がドリル４０に対向し、係合ピンが中央の係合切欠６４に係合する位置では、保持部２０が注射器５０に、保持部３０がドリル４０に夫々対向し、係合ピン６５が右の係合切欠６４に係合する位置では、保持部３０が注射器５０に対向する。
【００５６】
補助装置１０が備えるステー１３、基部３１、キャップ固定部３２、押圧台３４、レールガイド３８，３８、立上部３９の各部は、アルミニウムやステンレス鋼等の金属を適宜切削加工等して得られ、各部はネジ等によって適宜締結される。
【００５７】
以上のように構成された補助装置１０によると、上述した検査方法の各ステップに加えて、さらに液体充填後約１５℃の環境に最低１６時間おかれた容器であって、第一の空間に染料が注入される容器１００とは別の容器１００の口部１０１に螺着されているキャップ１１０の筒部１１２に、少なくとも該キャップ１１０のアウターシール１１４と筒部１１２の内周面と口部１０１の外周部とで区画された第二空間Ｓ２に連通する直径１．０ｍｍ程度の第二孔部１１７を形成する第二穿設ステップと、第二孔部１１７を介して、第二空間Ｓ２に染料５２を注入する第二注入ステップと、前記第二注入ステップで染料５２が注入された容器１００のキャップ１１０に対して内圧を付与する第二与圧ステップの一例として容器１００を放置する第二放置ステップと、前記第二放置ステップ後に容器１００内への染料５２の漏洩の有無を確認する第二確認ステップと、前記第二確認ステップの確認結果に基づいて前記密封性を評価する評価ステップを備えた本発明による検査方法のうち、さらに前記第二穿設ステップ及び前記第二注入ステップを熟練を要することなく実行することができる。
【００５８】
すなわち、容器１００を保持部３０に保持させた後、保持部３０に保持された容器１００をドリル４０に対向させ、ドリル４０を図２に示すＹ方向に沿って容器１００へと前進させて、ドリルビット４１で容器１００のキャップ１１０の筒部１１２（図９参照）の所定位置に所定深さの孔部１１７（図９参照）を形成することで前記第二穿設ステップが実行され、ドリル４０を図２に示すＹ方向に沿って容器１００から後退させた後、次に容器１００を図１０に示すＸ方向に沿って注射器５０に対向する位置まで移動させ、注射器５０をＹ方向に沿って容器１００へと前進させて、ドリルビット４１が形成した孔部１１７に注射針５１によって所定量の染料５２を注入することで前記第二注入ステップが実行される。
【００５９】
さらに、本発明よる検査方法は、前記第二注入ステップで染料５２が注入された容器１１０を容器１００を放置する第二放置ステップと、前記第二放置ステップ後に容器１００内への染料５２の漏洩の有無を確認する第二確認ステップを備え、前記評価ステップは、前記第一確認ステップ及び前記第二確認ステップの確認結果に基づいて前記密封性を評価する。なお、前記第二放置ステップは、前記第一放置ステップと同様の処理が実行される。従って、第二放置ステップでの放置時間も、第一放置ステップでの放置時間と同様に、第二放置ステップを開始してから漏洩を確認するのに足る適当な時間として例えば予め設定された数秒から数十時間のような時間であってもよいし、前記時間のように予め設定されたものではなく第二放置ステップを開始してから漏洩が確認されるまでの時間であってもよい。第二確認ステップは、前記第一確認ステップと同様の処理が実行される。
【００６０】
なお、第二与圧ステップには、前記第一与圧ステップが前記第一印加ステップを備える場合には、前記第二注入ステップと、前記第二放置ステップの間に、容器１００に対して、所定の外力を印加する第二印加ステップを備えていてもよい。前記第二印加ステップは、図７に示す第一印加ステップと同様の処理が実行される。
【００６１】
前記評価ステップは、前記第一確認ステップ及び前記第二確認ステップの結果に基づいて、容器１００の密封性の評価をすることができる。前記第一確認ステップで、染料５２の漏洩が認められない場合は、少なくともインナーシール１１５の密封性があることがわかり、染料５２の漏洩が認められる場合は、少なくともインナーシール１１５の密封性がないことがわかる。そして、前記第一確認ステップでインナーシール１１５の密封性がない場合に、第二確認ステップでも染料５２の漏洩が認められない場合は、アウターシール１１４については密封性があることがわかり、前記第二確認ステップでも染料５２の漏洩が認められた場合は、アウターシール１１４の密封性がないことがわかる。
【００６２】
以上のように、新規設計のペットボトル等の容器１００の口部１０１と、口部１０１に螺着自在なキャップ１１０に備えられたインナーシール１１５との密封性の検査に加えて、口部１０１と、アウターシール１１４との密封性の検査を行うことができる。なお、第一空間に連通する第一孔部が形成される容器１００及び第二空間に連通する第二孔部が形成される容器１００は、それぞれ一つに限らず複数であってもよい。複数の新規設計のパターンがある場合には、前記パターン毎に一つないし複数が準備されてもよい。また、第一空間に連通する第一孔部が形成される容器１００及び第二空間に連通する第二孔部が形成される容器１００は同数であってもよいし、異なっていてもよい。
【００６３】
上述した説明では、容器１００がホットパック充填により内容物である液体が充填されているものを例に説明したが、容器１００は内容物である液体を事前に高温殺菌、冷却してから、無菌状態のもとで常温で充填するアセプティック充填により液体が充填されるものであってもよい。また、容器１００がペットボトルである場合を例に説明したが、容器１００はペットボトルに限らず、アルミやスチール等の金属製であってもよい。容器１００のキャップ１１０も樹脂により一体成形されたワンピースキャップに限らず、キャップ本体の内面に、インナーシール及びアウターシールが樹脂により一体成形されたシール本体が配設されたツーピースキャップであってもよく、さらに、アルミやスチール等の金属製のキャップ本体の内面にンナーシール及びアウターシールが樹脂により一体成形されたシール本体が配設されている構成であってもよい。
【００６４】
上述した実施形態は、いずれも本発明の一例であり、該記載により本発明が限定されるものではなく、各部の具体的構成は本発明の作用効果が奏される範囲で適宜変更設計可能である。
【符号の説明】
【００６５】
１０：補助装置
２０：第一保持部（保持部）
３０：第二保持部（保持部）
４０：ドリル
４１：ドリルビット（穿設部）
５０：注射器
５１：注射針（注入部）
５２：染料
６０：第一支持部
６３：位置決め部
６４：係合切欠
６５：係合ピン
７０：第二支持部
１００：容器
１０１：口部
１１１：天面部
１１４：アウターシール（シール）
１１５：インナーシール（シール）
１１６：第一孔部
１１７：第二孔部
Ｓ１：第一空間
Ｓ２：第二空間
Ｔ：所定間隔
Ｘ：第一方向
Ｙ：第二方向
【図１】
0006362451.tif 000002
【図２】
0006362451.tif 000003
【図３】
0006362451.tif 000004
【図４】
0006362451.tif 000005
【図５】
0006362451.tif 000006
【図６】
0006362451.tif 000007
【図７】
0006362451.tif 000008
【図８】
0006362451.tif 000009
【図９】
0006362451.tif 000010
【図１０】
0006362451.tif 000011